(57)【要約】一方の端にグリップ（２２）を他方の端にクラブヘッド（２６）を備えたシャフト（２４）を有し、前記クラブヘッドのフェース（１４）に取り付けられたカップ（１２）を備え、前記カップが前部で意図された標的に向かって開いているゴルフクラブ（２０）を有するゴルフスイングトレーニング装置用の機器（１０）。カップ（１２）の内径はボール（２８）の直径に実質的に一致している。使用するときは、標的めがけてスイングする間中、カップから目標地点に向けてボールを放つつもりで、ボール（２８）はカップ（１２）の中に置かれている。実際に、もしバックスイング中に下手なスイング技術によりカップ（１２）が間違えて傾くと、ボール（２８）は落ちてしまう。また、ボール（２８）を放つ地点においてカップ（１２）の内径が目標線と一直線になっていない場合、ボールの軌道は標的から曲がってしまう。追加要素として、ボール（２８）が簡単に落ちてしまうのを妨げるためにカップ（１２）は内側に円周の突起部（４０）を備えている、またカップはクラブフェース（１４）に（３６，３８）で取り外し可能に取り付けられている。【選択図】図１
2008521580.tif 000002
【特許請求の範囲】
【請求項１】
シャフト、グリップ、クラブヘッド、およびクラブフェースを備えるゴルフクラブと、
前端部、後端部および表面を備えた円筒型に成形され、前記後端部は前記クラブフェースに取り付けられ、使用者に対しゴルフクラブを正確にスイングする方法を訓練するためにゴルフボールがその中に置かれるのを可能にするために前記前端部が開いている、前記ゴルフクラブの前記フェースに配置されるカップとを有することを特徴とするゴルフスイングトレーニング装置用の機器。
【請求項２】
前記カップはその中に通常のゴルフボールを受け入れる大きさであることを特徴とする、請求項１に記載の機器。
【請求項３】
使用者がゴルフボールの標的の方へ向けることができるように前記カップの前記表面に配置される目印をさらに有することを特徴とする、請求項２に記載の機器。
【請求項４】
前記機器は矢印であることを特徴とする、請求項３に記載の機器。
【請求項５】
前記カップの中にゴルフボールを保持するために前記前端部付近の前記カップの内側に配置される突起部をさらに有することを特徴とする、請求項４に記載の機器。
【請求項６】
前記カップは前記クラブフェースに取り外し可能に取り付けられることを特徴とする、請求項５に記載の機器。
【請求項７】
前記クラブフェースに配置されるはめ合い雌ねじ部材に取り外し可能に取り付けるための、前記カップの前記後端部に配置される雄ねじ部材をさらに有することを特徴とする、請求項６に記載の機器。
【請求項８】
シャフト、グリップ、クラブヘッド、およびクラブフェースを備えたゴルフクラブと、
前端部、後端部および表面を備えた円筒型に成形され、前記後端部は前記クラブフェースに取り付けられ、使用者に対しゴルフクラブを正確にスイングする方法を訓練するためにゴルフボールがカップの中に置かれるのを可能にするために前記前端部が開いている、前記ゴルフクラブの前記フェースに配置されるカップと、
使用者がゴルフボールに対して立つべき位置を示すために、使用者の足のつま先の前の地面に配置するための第１リボンと、
標的に対する目標線を提供するために前記カップの中心線と平行であって、前記カップの前記前端部の前の地面に配置するための第２リボンとを有することを特徴とするゴルフスイングトレーニング装置用の機器。
【請求項９】
前記カップはその中に通常のゴルフボールを受け入れる大きさであることを特徴とする、請求項８に記載の機器。
【請求項１０】
使用者がゴルフボールの標的の方へ向けることができるように前記カップの前記表面に配置される目印をさらに有することを特徴とする、請求項９に記載の機器。
【請求項１１】
前記機器は矢印であることを特徴とする、請求項１０に記載の機器。
【請求項１２】
前記カップの中にゴルフボールを保持するために前記前端部付近の前記カップの内側に配置される突起部をさらに有することを特徴とする、請求項１１に記載の機器。
【請求項１３】
前記カップは前記クラブフェースに取り外し可能に取り付けられることを特徴とする、請求項１２に記載の機器。
【請求項１４】
前記クラブフェースに配置されるはめ合い雌ねじ部材に取り外し可能に取り付けるための、前記カップの前記後端部に配置される雄ねじ部材をさらに有することを特徴とする、請求項１３に記載の機器。
【請求項１５】
前記第１リボンは前記第２リボンよりも短いことを特徴とする、請求項１４に記載の機器。
【請求項１６】
ゴルファーがゴルフスイングを練習するときに持つのを可能にするための、支持体表面に配置するための携帯用の標的をさらに有することを特徴とする、請求項１５に記載の機器。
【請求項１７】
カップと固定手段との間に配置される支持部材と、
前端部、後端部および表面を備えた円筒型に成形され、前記後端部は前記支持部材に取り付けられ、使用者に対しゴルフクラブを正確にスイングする方法を訓練するためにゴルフボールがその中に置かれるのを可能にするために前記前端部が開いている、前記支持部材の表面に配置される前記カップと、
前記支持部材の一端部に配置され、それにより前記機器はゴルフクラブに解放可能に取り付けられる固定手段とを有することを特徴とするゴルフクラブ用の機器。
【請求項１８】
前記固定手段はゴルフクラブのシャフトを摩擦ではめ込むための一対のはめ合い部材から成り、前記はめ合い部材の一方はそこから垂れる支持部材を備えていることを特徴とする、請求項１７に記載の機器。
【請求項１９】
前記はめ合い部材は、はめ込まれるときにそれを通る貫通孔を備え、それにより前記機器のカップはゴルフクラブヘッドの位置に対して実質的に垂直な位置に枢動可能に移動されることを特徴とする、請求項１８に記載の機器。
【請求項２０】
前記はめ合い部材は固定手段を組み込んでおり、それにより前記固定手段はゴルフクラブシャフトにはめ合い部材を取り付けおよび取り外しするために用いられることを特徴とする、請求項１８に記載の機器。
【請求項２１】
前記固定手段はその中にねじ部品を備えた少なくとも一つのねじ穴から成ることを特徴とする、請求項１９に記載の機器。
【請求項２２】
前記支持部材はヒンジを備えそこを越えて伸びる取付フレームを形成することを特徴とする、請求項１７に記載の機器。
【請求項２３】
前記取付フレームは、ゴルフクラブフェースをはめ込むための一方のヒンジ取付平面部材と、前記カップのための取付手段を形成する他方のヒンジ取付平面部材とから成ることを特徴とする、請求項２２に記載の機器。
【請求項２４】
前記取付フレームは固定手段を組み込んでおり、それにより前記取付フレームはゴルフクラブフェースに解放可能に取り付けられることを特徴とする、請求項２３に記載の機器。
【請求項２５】
前記固定手段は両反対側に接着剤を備えたテープの層であることを特徴とする、請求項２４に記載の機器。
【請求項２６】
前記固定手段は、ゴルフクラブヘッドの背後を越えて伸び取付フレームの上端部および下端部から伸びる取付フレーム留め具に固定されるひもから成ることを特徴とする、請求項２４に記載の機器。
【請求項２７】
前記固定手段は、ゴルフクラブヘッドの背後を越えて伸び取付フレームの両側部から伸びる留め具に固定されるひもから成ることを特徴とする、請求項２４に記載の機器。
【請求項２８】
前記固定手段は、その中に留め具をそれを通して配置するための複数の開口を備えた取付フレーム部材から成ることを特徴とする、請求項２４に記載の機器。
【請求項２９】
前記取付フレームは位置決め手段を組み込んでおり、それにより取付フレーム部材間の選択的な角度変位が希望どおりに調整されることを特徴とする、請求項２４に記載の機器。
【請求項３０】
前記位置決め手段は一方の取付フレーム部材の両反対端部に固定されるトルク部材から成り、他方はそこに沿って進む前記トルク部材をその中に備えた縦長穴を有するそこから伸びるスライド留め具を備えていることを特徴とする、請求項２９に記載の機器。
【請求項３１】
前記位置決め手段は一方の取付フレーム部材の上端部から延びる支柱から成り、他方はそこに沿って縦に伸びる複数の離間した開口を有するひもを備えており、それにより前記部材の選択的な角度変位が、所望の選択的な角度変位と一致するひも開口に前記支柱を摩擦ではめ込むことによって得られることを特徴とする、請求項２９に記載の機器。
【請求項３２】
ゴルフボールを前記カップの内部に保持するために前記カップのへりに配置される複数の内側に突出する剛毛をさらに有することを特徴とする、請求項１７に記載の機器。
【発明の詳細な説明】
【技術分野】
【０００１】
本発明は、一方の端にグリップを他方の端にクラブヘッドを備えたシャフトを有し、前記クラブヘッドのフェースに取り付けられたカップを備え、前記カップが前部で意図された標的に向かって開いているゴルフスイングトレーニング装置を提供する。カップの内径はボールの直径に実質的に一致している。使用するときは、標的めがけてスイングする間中、カップから目標地点に向けてボールを放つつもりで、ボールはカップの中に置かれている。
【０００２】
実際に、もしバックスイング中に下手なスイング技術によりカップが間違えて傾くと、ボールは落ちてしまう。また、ボールを放つ地点においてカップの内径が目標線と一直線になっていない場合、ボールの軌道は標的から曲がってしまう。
【０００３】
本発明は、正確に手を回転させ、それ故ボールがカップから落ちないようにしながら、ゆっくりしたペースで、ゴルファーが正しいスイング面に従ったバックスイングを作り上げるのに役立つゴルフスイングトレーニング装置を提供する。
【０００４】
本発明は、ダウンスイングの間中、正確なフィニッシュに至る目標線に沿った手の正確な伸長および回転を促進するゴルフスイングトレーニング装置を提供する。
【０００５】
もしダウンスイングが正確になされれば、スイングの底辺でボールはカップから離れ、そして予測可能なおよび再現可能な形でボールは目標線に沿って直接飛んで行く。正確なスイング以外のどんなスイングによってもボールは目標線の左、右、下側または上側へ行く。
【０００６】
追加要素として、ボールが簡単に落ちてしまうのを妨げるためにカップは内側に円周の突起部を有している、またカップはクラブヘッドに取り外し可能に取り付けられている。
【背景技術】
【０００７】
１９３６年１０月２０日付けでＣｏｓｔｅｌｌｏに発行された米国特許第２，０５７，８２１号。
【０００８】
もう一つの特許が１９３７年１０月５日付けでＣｏｓｔｅｌｌｏに米国特許第２，０９４，７６６号として発行された。さらにもう一つの米国特許第２，６２１，０４４号は、１９５２年１２月９日付けでＳｌｏａｎに発行され、そしてさらにもう一つが１９６４年３月２４日付けでＳａｂｉａに米国特許第３，１２６，２０６号として発行された。
【０００９】
もう一つの特許が１９６５年７月１３日付けでＳｗａｎに米国特許第３，１９４，５６４号として発行された。さらにもう一つの米国特許第４，１３９，１９８号が１９７９年２月１３日付けでＫａｎａｖａｓに発行された。もう一つが１９８９年１０月３１日付けでＦａｕｓｔに米国特許４，８７７，２５１号として発行され、その上さらにもう一つが１９９０年１０月１６日付けでＣｏｌｕｃｃｉに米国特許第４，９６２，９２７号として発行された。
【００１０】
軸部およびヘッド部を有する練習用ゴルフクラブにおける、普通のゴルフクラブの打球面に一致し、前記対向セットの突出部材によって画定される空間の中に入り口を押し込むための角度で打たれるときその間の練習ゴルフボールを圧縮可能に受けるために、練習ゴルフボールの直径より著しく小さい距離で互いに間隔を置いて配置される、ヘッド部のその部分から表面的に伸びている、別のセットの突出部材。前記部材は、対向セットの突出部材によって画定される空間の中に練習ゴルフボールをガイドするか、またはボール損傷せずにそこから同じことをそらすように構成される丸い端部及びエッジ部をそれぞれ備えている。
【００１１】
ヘッドおよびヘッドに固定されたシャフトを有するゴルフクラブと、練習ボールと、適しておりその自由端に隣接するクラブシャフトに取り外し可能に固定された弾性的握り把持部材と、前記ゴルフクラブで打たれるときに前記ボールの運動の範囲を制限するための、前記取り外し可能な握り把持部材と練習ボールとを接続する手段との組み合わせ。
【００１２】
標準のゴルフクラブのためのゴルフ練習装置、短縮部材とともに横断面が通常U字型である補助ヘッドと、標準のゴルフボールと実質的に同じ直径を目的物から取り除くために十分な幅と高さの前記ヘッドの下面に沿って開いた細長い溝を形成する下端をはめ込む連続的な地面とともに垂れ下がる平行刃とから成り、そのとき後者が地面に対して通常のプレー位置にあり、標準のゴルフクラブのヘッドに取り外し可能な一時的なかみ合せを提供する前記橋部材における手段。
【００１３】
シャフトと、クラブヘッドと、実質的に平らな平面、そこから後方にアーチ形の裏面に広がっている本体、上面、および前記練習スイングの間に地面と著しくかみ合せるための前記シャフトに対して位置決めされた実質的に平らな底面を含んだ前記クラブヘッドと、前記シャフトの両方の軸が前記平面の面に対して実質的に平行な面に位置し前記底面の面に対して角度を有するような前記クラブヘッドに前記シャフトを連結するための手段とを含み、前記クラブヘッドは、前記表面で始まり前記裏面を通して後方にそこから広がる、まっすぐな、くぼみのある、そして制約のない通路の形式でそれの前記上面におけるくぼみを一体的に含み、前記通路の深さは前記クラブヘッドの垂直面と実質的に同一の広がりを持ち、薄い橋だけが前記通路の下部と前記底面との間に存在するように、前記くぼみは前記上面から前記底面の方へ降下しており、全体の長さを通した前記通路の幅はそこを通るゴルフボールの通路を許容するのに十分な寸法である、練習スイングの品質を示すように構成されるゴルフクラブ。
【００１４】
クラブヘッドは実質的に平坦なゴルフボール打撃面を備え、前記表面およびゴルフボールの直径よりも大きい離間した距離に実質的に垂直な一対の開口は、前記表面のその部分を画定するために提供され、そして、それは望ましいインパクト領域および解放可能な挿入のために前記開口のそれぞれの部分で保持される一対のピンばねであり、それぞれが少なくともゴルフボールの直径の相当部分である長さを有し、ゴルフクラブの完全なスイングが適切に実行されない場合前記ピンの一方又は他方がゴルフボールをはめ込むことができる、練習用ゴルフクラブ。
【００１５】
ゴルファーがパッティング上達を確立するのを補助するために自分のパターに取り付けることができるトレーニング装置。本装置は、環の内端を形成するために交わる平坦な背面と凹形の円錐表面とを備えた剛体環から成り、それの直径は標準のゴルフボールの直径より小さいが、ボールが、トレーニング装置が環のどの部分にも接触せずに取り付けられるパターの表面に接触するのを可能にするのに十分大きい。環からそれぞれ反対の方向に突出する取り付け翼は、トレーニング装置をパターに取り付けるのを容易にするための、環の背面と同一平面上にある平らな背面を有している。
【００１６】
ゴルフボールまたはその複製のための新規なパッティング装置は、シャフトおよびパターヘッドを含むパターと、先細り部分を備えボールがパターで打たれた後にボールの運動をガイドするためにそれの内底面に形成されるガイド進路を含む漏斗状のガイドチューブと、ガイドチューブをパターに接続しガイドチューブと間隙を空けた状態でパターヘッドを支持するL字型のブラケットと、の完全な組み合わせを有している。
【００１７】
ゴルフパターは、ゴルフボールを打つための前面を有する刃の上縁から後方に伸びる水平のフランジを含んでいる。また、一対の離間した狭い壁は、打球面の後面から後方に伸びており、またゴルフボールが押し込まれ取り出される空間を画定する。フランジおよび狭い壁は、刃のスイートスポットの中心にある重量を提供する。フランジの上面は、パットを標的に対し真っすぐに向けるための照準線を備えている。刃の下縁および垂直壁は、パッティング中の芝生からの低減された抵抗を提供する。
【００１８】
ゴルファーのパッティング補助はパターヘッドにゴムバンドで取り外し可能に取り付けられるものである。本発明は、ゴルファーに、自分がボールをパットしようと意図した照準ラインに対して直角に、パターヘッドを保つように視覚的に教え込むものである。これは、ゴルファーに、パッティングの間に、パターシャフトを捩じらないように教え込むことを意図するものである。このパッティング補助は、プラットフォームを有する横方向部材から延設された、一対の離間した平行なフィンガー部材によって形成されたＵ字型のブラケットである。これらのフィンガー部材および横方向部材によって形成された端が開いている方形の空間は、練習用グリーン上にのっている１個のゴルフボールを包囲するのに十分な大きさであって、すべりみぞを形成している。この空間の二つの内側の角に隣接したプラットフォーム上には、固定支柱部材を有する、一対の離間した当接部材がある。この二つの当接部材は、垂直であり、パターヘッド面に接触している。この二つの固定支柱部材は、横方向部材の下側に伸びているゴムバンドの両端をしっかりと固定している。この伸びたゴムバンドは、当接部材に対してパターヘッドの両端を保持している。両フィンガー部材は、ゴルファーがパッティングを練習している間、想像上のスイングラインに対するパター面の角度を視覚的に誇張している。
【００１９】
接続シート、垂直な標準片、及びパッド部材とから成り、パッド部材は、標準線と円が標準線の中央部分に配置されて形成された長方形であり、それによりボールの方へ向ける、後方へ動かす、前方へ動かす、叩く、およびボールに続いて動かす動作の間、プレーヤーは、標準片が標準線に重ね合わせられているかを検査し、正しいパッティング進路および姿勢を達成するためにゴルフボールとボール穴をつなぐ線の上にパッティングクラブの重力中心を置くための、直線的垂直なパッティング動作を修正することができる、パッティングクラブの直線的垂直動作の重力中心の検査を可能にするゴルフパッティング練習装置。
【００２０】
Ｕ字型の整列取り付け具はパターに取り付けられており、バックストローク時にクラブが後方に動かされるとき、ゴルフボールを係合させるようにアドレスされた時のゴルフボールから十分間隔のある後方端を備えた、横方向に内部に離間した平行な脚の伸長を含んでおり、もしクラブが意図した線から外れ、フォワードストロークにおいて脚の伸長の前端を拘束する場合、誇張されたミス／ヒット方向へ去るゴルフボールの結果として即時の評価をゴルファーに与える。適切な口部には異なった種類のゴルフクラブへの取り付け具の取り付けが提供される。
【００２１】
ゴルフのようなボールゲームのための練習手段は、ゲームのための通常のプレー道具における好ましい打撃領域に対応する好ましい打撃面の境界の少なくとも大部分の、ボール半径と等しい距離を通して線形平行移動によって画定される位置で打撃境界線を形成する端部とともに一部分に堅く取り付けられるハンドル部材を有し、前記端部は少なくとも部分的に開口を画定し、それにより通常のプレー道具の使用に類似する形での練習手段の使用の際に、ボールと前記端部との接触は、プレー道具によって行われた対応するストロークのために、ボールは好ましい打撃領域の外で打たれたことを示している、また前記端部に接触せずに開口を通るボールの通路は満足できるストロークが行われたことを示している。本発明の実施形態は図２に示されており言及される部分がチューブである、そして図1はボールの半径と等しい距離を通る望ましい打撃面の線形平行移動によって画定された開口を示している。
【００２２】
本対象は特定のデザインに基づくゴルフクラブのヘッドであるが、ヘッドはそれがボールを叩くまでヘッドの動きの原因による振動を取り除くまたは減少させるために改良が組み込まれることになっている。これらの改良はインパクトが発生する側と反対側のヘッド側部に取り付けられる、すなわち動いているヘッド周りの流れによって画定される端部から始まるいくつかの深いキャビティの側である。これらのキャビティは後面の縁に平行であり、それらを分離する中央背骨によって接合される。
【００２３】
これらのトレーニング装置はこれらが意図した目的に適しているかもしれないが、以下に記載するように、これらは本発明の目的には適していないであろう。
【発明の開示】
【発明が解決しようとする課題】
【００２４】
本発明の第一の目的は、ゴルファーに、正確なバックスイング、目標線スイングリリース、フォロースルーを確立するためのスイングトレーニング装置を提供することである。
【００２５】
本発明のもう一つの目的は、クラブヘッドのフェースに取り付けられるカップを備えたシャフトを有するゴルフスイングトレーニング装置を提供することである。
【００２６】
本発明のさらにもう一つの目的は、前記カップの開口がクラブの前部に向いているゴルフスイングトレーニング装置を提供することである。
【００２７】
その上、本発明のさらにもう一つの目的は、カップの内径がボールの直径と完全に一致しているゴルフスイングトレーニング装置を提供することである。
【００２８】
本発明のさらなる目的は、ボールが簡単に転がり出るのを妨げるためのカップの内側における任意の突起部を提供することである。
【００２９】
本発明のもう一つの目的は、構えの足の位置および意図したボールの軌道を補助する複数本のリボン形状の追加要素を備えたゴルフスイングトレーニング装置を提供することである。
【００３０】
本発明のさらにもう一つの目的は、使いやすいゴルフスイングトレーニング装置を提供することである。
【００３１】
その上、本発明のさらにもう一つの目的は、製造の費用効率が高いゴルフスイングトレーニング装置を提供することである。
【００３２】
本発明のさらにもう一つの目的は、旅行カバンにうまく入る可搬可能なスイングトレーニング装置を提供することである。
【００３３】
明細書が進むにつれ、本発明の追加の目的は現れるであろう。
【課題を解決するための手段】
【００３４】
本発明は、一方の端にグリップを他方の端にクラブヘッドを備えたシャフトを有し、前記クラブヘッドのフェースに取り付けられたカップを備え、前記カップが前部で意図された標的に向かって開いているゴルフクラブを有するゴルフスイングトレーニング装置を開示する。カップの内径はボールの直径に実質的に一致している。使用するときは、標的めがけてスイングする間中、カップから目標地点に向けてボールを放つつもりで、ボールはカップの中に置かれている。実際に、もしバックスイング中に下手なスイング技術によりカップが間違えて傾くと、ボールは落ちてしまう。また、ボールを放つ地点においてカップの内径が目標線と一直線になっていない場合、ボールの軌道は標的から曲がってしまう。追加要素として、ボールが簡単に落ちてしまうのを妨げるためにカップは内側に円周の突起部を有している、またカップはクラブヘッドに取り外し可能に取り付けられている。
【００３５】
本発明は、ゴルファーを正確にゴルフクラブをスイングできるよう訓練するための、小さい可搬型のゴルフスイングトレーニング装置である。バックスイングにおいて、ゴルファーは手首を正確に回転させながら目標線に沿って低くゆっくりとスイングすることができるようになる。ダウンスイングにおいて、ゴルファーは、目標線に沿って手を伸長させフォロースルーを改善しながら、打球面まで手首を回転させることができるようになる。本装置で練習することによって、ゴルファーはより長い真っすぐなショットにつながる改良されたスイングを経験できるようになる。
【００３６】
バックスイングにはいるとき、ゴルファーは手首を正確に回転させながら目標線に沿って低くゆっくりしたバックスイングのスタートをしなければならない、そうしないと本装置のフェースに取り付けられたカップからゴルフボールが落ちてしまう。正確なバックスイングのスタートであれば、バックスイングの間中、ゴルフボールはカップの中に保持されたままである。ダウンスイングにおいて、ゴルファーは、目標線に沿って手を伸長させながら、打球面まで手首を回転させることができるようになる。もし正確に行われれば、スイングの底辺でボールはカップから離れ、そしてボールは目標線に沿って直接飛んで行く。正確なスイング以外のどんなスイングによってもボールは目標線の左、右、上側または下側へ行く。ゴルファーをさらに支援するために、本装置は、床の上に互いに平行に置かれた２本の１インチ幅のリボンとともに使用することができる。約３フィートの長さの一方のリボンは、ゴルファーの足をそろえるために使用される。約１２フィートの長さの他方のリボンは、目標線に沿ってゴルフボールの想像される位置に並べられる。さらに、ゴルファーが自分のスイングの結果を評価できるように、１２フィートのリボンの線に沿って位置する壁に、可搬型の標的を貼ることができる。ボールがカップから離れるとき、これはゴルファーに対して、ボールの軌道の視覚的な評価を与える。
【００３７】
本発明は、そこに取り付けられるカップを備えたクラブヘッドおよびシャフトを有し前記カップが前部で意図された標的に向かって開いているゴルフスイングトレーニング装置を提供することによって、先行技術の欠陥を克服する。カップの内径はボールの直径に実質的に一致している。使用するときは、標的めがけてスイングする間中、カップから目標地点に向けてボールを放つつもりで、ボールはカップの中に置かれている。実際に、もしバックスイング中にカップが傾くと、ボールは落ちてしまう、または、もしボールを放つときにカップの内径が標的と一直線になっていない場合、ボールの軌道は標的から曲がってしまう。本発明の有利性は、ゴルファーがゆっくりしたペースで正確なスイング面に沿ったバックスイングを発達させるのに役に立つことであり、ボールがカップから落ちるのを防ぎダウンスイングにおいて目標線に沿って手を伸ばすために、開いている手を回転させることである。もしスイングが正確に行われれば、スイングの底辺でボールはカップから離れ、そしてボールは目標線に沿って直接飛んで行く。正確なスイング以外のどんなスイングによってもボールは目標線の左、右、上側または下側へ行くであろう。
【００３８】
前述およびその他の目的および有利性が以下の記載から明らかになるであろう。記載においては、それの一部を形成する添付の図面について言及される、そして本発明が実施される特定の実施形態が実例として示されている。これらの実施形態は当業者が本発明を実施するのを可能にするのに十分詳細に記載されるであろう、そして当然のことながら、他の実施形態が使用され、発明の範囲から逸脱しないで構成の変更が行われることもある。添付の図面において、同じ参照符号はいくつかの図面を通して同じまたは同様の部分を示している。
【００３９】
したがって、以下の詳細な説明は制限意味に取られないようにすべきであって、本発明は添付の特許請求の範囲により定義されるのが最も良い。
【発明を実施するための最良の形態】
【００４０】
以下の考察は、本発明の一実施形態（およびその実施形態のいくつかの変形）を詳細に説明している。しかしながら本考察は、本発明をこれらの特定の実施形態に限定するように行われるべきではない、なぜなら当業者がその上多数の他の実施形態を認めるからである。本発明の完全な範囲を明確にするために、読者は添付の特許請求の範囲に向けられる。
【００４１】
図１を参照すると、そこには使用中の本発明１０の説明図が示されている。本発明１０は、ボールをその中に置きそのボールを放つための、クラブフェース１４に取り付けられたカップ１２から成るゴルフスイングトレーニング装置を開示している。カップ１２は、標的に対する位置決めの補助として用いられる、外側に付けられた目印すなわち矢印１６を備えている。また目標線が１８に示されている。
【００４２】
図２を参照すると、そこには本発明１０の側面図が示されている。ゴルファーを正確にゴルフクラブ２０をスイングできるよう訓練するための、小さい可搬型のゴルフスイングトレーニング装置を開示する本発明１０が示されている。バックスイングにおいて、ゴルファーは手首を正確に回転させながら目標線に沿って低くゆっくりとスイングすることができるようになる。ダウンスイングにおいて、ゴルファーは、目標線に沿って手を伸長させフォロースルーを改善しながら、打球面まで手首を回転させることができるようになる。本装置で練習することによって、ゴルファーはより長い真っすぐなショットにつながる改良されたスイングを経験できるようになる。また、グリップ２２、シャフト２４、クラブヘッド２６、カップ１２およびボール２８が示されている。
【００４３】
図３を参照すると、そこには本発明１０の正面図が示されている。ゴルファーを正確にゴルフクラブ２０をスイングできるよう訓練するための、小さい可搬型のゴルフスイングトレーニング装置を開示する本発明１０が示されている。バックスイングにおいて、ゴルファーは手首を正確に回転させながら目標線に沿って低くゆっくりとスイングすることができるようになる。ダウンスイングにおいて、ゴルファーは、目標線に沿って手を伸長させフォロースルーを改善しながら、打球面まで手首を回転させることができるようになる。本装置１０で練習することによって、ゴルファーはより長い真っすぐなショットにつながる改良されたスイングを経験できるようになる。また、長い目標線リボン３０、目標線１８、短いスタンスリボン３２およびその他前述の要素が示されている。
【００４４】
図４を参照すると、そこには本発明１０の詳細な斜視図が示されている。ゴルファーを正確にゴルフクラブをスイングできるよう訓練するための、小さい可搬型のゴルフスイングトレーニング装置を開示する本発明１０が示されている。バックスイングにおいて、ゴルファーは手首を正確に回転させながら目標線に沿って低くゆっくりとスイングすることができるようになる。ダウンスイングにおいて、ゴルファーは、目標線に沿って手を伸長させフォロースルーを改善しながら、打球面まで手首を回転させることができるようになる。本装置１０で練習することによって、ゴルファーはより長い真っすぐなショットにつながる改良されたスイングを経験できるようになる。その他前掲の要素もまた開示されている。
【００４５】
図５を参照すると、そこには本発明１０の分解斜視図が示されている。ゴルファーを正確にゴルフクラブをスイングできるよう訓練するための、小さい可搬型のゴルフスイングトレーニング装置を開示する本発明１０が示されている。バックスイングにおいて、ゴルファーは手首を正確に回転させながら目標線に沿って低くゆっくりとスイングすることができるようになる。ダウンスイングにおいて、ゴルファーは、目標線に沿って手を伸長させフォロースルーを改善しながら、打球面まで手首を回転させることができるようになる。本装置１０で練習することによって、ゴルファーはより長い真っすぐなショットにつながる改良されたスイングを経験できるようになる。その他前掲の要素もまた開示されている。
【００４６】
図６を参照すると、そこには本発明１０の斜視図が示されている。ゴルファーを正確にゴルフクラブをスイングできるよう訓練するための、小さい可搬型のゴルフスイングトレーニング装置を開示する本発明１０が示されている。バックスイングにおいて、ゴルファーは手首を正確に回転させながら目標線に沿って低くゆっくりとスイングすることができるようになる。ダウンスイングにおいて、ゴルファーは、目標線に沿って手を伸長させフォロースルーを改善しながら、打球面まで手首を回転させることができるようになる。本装置１０で練習することによって、ゴルファーはより長い真っすぐなショットにつながる改良されたスイングを経験できるようになる。その他前述の要素もまた示されている。
【００４７】
図７を参照すると、そこには本発明１０の説明図が示されている。ゴルファーが、低くゆっくりとしたバックスイングをし、手首を正確に回転させ、ダウンスイングにおいて目標線に沿ってクラブヘッドを伸長させることができるように役立つための、小さい可搬型のゴルフスイングトレーニング装置を開示する本発明１０が示されている。本装置１０はプラスチックの練習用ゴルフボールまたは規定のゴルフボールを標的に向けて前方へ投げつけることができる。本装置１０はまた、ゴルファーが目標線に沿って手を伸長するよう訓練するのにも役立つ。本装置１０は、グリップとともにシャフトに取り付けられる、クラブヘッドに取り付けられたカップ１２を有している。リボン３０の線に沿って置かれた携帯用の標的４１がまた示されている。
【００４８】
図８を参照すると、そこには本発明１０の説明図が示されている。バックスイングにはいるとき、ゴルファー３４は手首を正確に回転させながら目標線に沿って低くゆっくりしたバックスイングのスタートをしなければならない、そうしないと本装置のフェースに取り付けられたカップ１２からゴルフボールが落ちてしまう。正確なバックスイングのスタートであれば、バックスイングの間中、ゴルフボールはカップ１２の中に保持されたままである。ダウンスイングにおいて、ゴルファーは、目標線に沿って手を伸長させながら、打球面まで手首を回転させることができるようになる。もし正確に行われれば、スイングの底辺でボールはカップ１２から離れ、そしてボールは目標線に沿って直接飛んで行く。正確なスイング以外のどんなスイングによってもボールは目標線の左、右、上側または下側へ行く。ゴルファーをさらに支援するために、本装置１０は、床の上に互いに平行に置かれた２本の１インチ幅のリボン３０、３２とともに使用することができる。約３フィートの長さの一方のリボン３２は、ゴルファーの足をそろえるために使用される。約１２フィートの長さの他方のリボン３０は、目標線に沿ってゴルフボールの想像される位置に並べられる。さらに、ゴルファー３４が自分のスイングの結果を評価できるように、１２フィートのリボン３０の線に沿って位置する壁に、可搬型の標的を貼ることができる。ボールがカップ１２から離れるとき、これはゴルファー３４に対して、ボールの軌道の視覚的な評価を与える。
【００４９】
図９を参照すると、そこには正しくないバックスイングを示した、本発明１０の説明図が示されている。バックスイングにはいるとき、ゴルファー３４は手首を正確に回転させながら目標線に沿って低くゆっくりしたバックスイングのスタートをしなければならない、そうしないと本装置のフェースに取り付けられたカップ１２からゴルフボール２８が落ちてしまう。正確なバックスイングのスタートであれば、バックスイングの間中、ゴルフボール２８はカップ１２の中に保持されたままである。ダウンスイングにおいて、ゴルファー３４は、目標線に沿って手を伸長させながら、打球面まで手首を回転させることができるようになる。もし正確に行われれば、スイングの底辺でボール２８はカップ１２から離れ、そしてボールは目標線に沿って直接飛んで行く。正確なスイング以外のどんなスイングによってもボール２８は目標線の左、右、上側または下側へ行く。ゴルファー３４をさらに支援するために、本装置は、床の上に互いに平行に置かれた２本の１インチ幅のリボン３０、３２とともに使用することができる。約３フィートの長さの一方のリボン３２は、ゴルファーの足をそろえるために使用される。約１２フィートの長さの他方のリボン３０は、目標線に沿ってゴルフボールの想像される位置に並べられる。さらに、ゴルファーが自分のスイングの結果を評価できるように、１２フィートのリボンの線に沿って位置する壁に、可搬型の標的を貼ることができる。ボールがカップ１２から離れるとき、これはゴルファー３４に対して、ボールの軌道の視覚的な評価を与える。
【００５０】
図１０を参照すると、そこには本発明１０の説明図が示されている。バックスイングにはいるとき、ゴルファー３４は手首を正確に回転させながら目標線に沿って低くゆっくりしたバックスイングのスタートをしなければならない、そうしないと本装置のフェースに取り付けられたカップ１２からゴルフボールが落ちてしまう。正確なバックスイングのスタートであれば、バックスイングの間中、ゴルフボール２８はカップ１２の中に保持されたままである。ダウンスイングにおいて、ゴルファー３４は、目標線に沿って手を伸長させながら、打球面まで手首を回転させることができるようになる。もし正確に行われれば、スイングの底辺でボール２８はカップ１２から離れ、そしてボールは目標線１８に沿って直接飛んで行く。正確なスイング以外のどんなスイングによってもボールは目標線１８の左、右、上側または下側へ行く。ゴルファーをさらに支援するために、本装置は、床の上に互いに平行に置かれた２本の１インチ幅のリボンとともに使用することができる。約３フィートの長さの一方のリボン３２は、ゴルファーの足をそろえるために使用される。約１２フィートの長さの他方のリボン３０は、目標線に沿ってゴルフボールの想像される位置に並べられる。さらに、ゴルファーが自分のスイングの結果を評価できるように、１２フィートのリボンの線に沿って位置する壁に、可搬型の標的を貼ることができる。ボールがカップ１２から離れるとき、これはゴルファー３４に対して、ボール２８の軌道の視覚的な評価を与える。
【００５１】
図１１を参照すると、そこには本発明の追加要素の側面図が示されている。カップ１２がクラブフェース１４に取り外し可能に固定されている本発明の追加要素が示されている。カップ１２は雄ねじ部材３６を備え、クラブヘッド１４は雌ねじ穴３８を備えている。カップ１２は、ボールが簡単に落ちてしまうのを妨げるために円周に配置された内側の突起部４０を組み込んでいる。
【００５２】
図１２を参照すると、そこには本発明の追加要素の側面図が示されている。ゴルフスイングトレーニング装置１００が、カップ１２とクランプ４２とを結合することによる任意のゴルフクラブシャフト２４に対する取り付け手段を組み込み、それによりゴルファーがどんな所望のクラブにも本発明１００を選択的に取り付けることができるようになる、本発明の追加要素が示されている。
【００５３】
図１３を参照すると、取り付け可能なゴルフスイングトレーニング装置の背面図が示されている。留め具をその中に挿入するためのクランプ固定開口を備えたはめ合いクランプ部材を有するクランプ４２を用いてゴルフクラブシャフト２４に選択的に取り付けられたカップ１２を有するゴルフスイングトレーニング装置１００が示されている。片持ち方法ではめ合いクランプ部材の一方から伸びるのは、その上にカップ１２が取り付けられたクランプアーム４６である。
【００５４】
図１４を参照すると、取り付け可能なゴルフスイングトレーニング装置の正面図が示されている。グリップ２２、シャフト２４、およびクラブヘッド２６を備えたゴルフクラブに取り付けられた本発明１００が示されている。ゴルフスイングトレーニング装置はクランプ４２を形成するはめ合い部材を備えており、それにより前記装置はどんな所望のゴルフクラブにも選択的に取り付けられる。それぞれの前記部材は、ゴルフクラブシャフト２４に本装置を解放可能に取り付ける留め具をその中に挿入するためのねじ貫通穴を備えている。クランプ部材の一方から片持ち式に飛び出ているのは、その上にカップ１２を備えたクランプアーム４６である。
【００５５】
図１５を参照すると、そこには本発明の別の追加要素の側面図が示されている。ゴルフスイングトレーニング装置２００が、この場合はクラブフェース１４である取り付け面に対するカップの角度を調整するための手段を提供する枢動部材５１、５２を備えた取付フレーム５０を組み込んでいる、本発明の別の追加要素が示されている。一度所望の角度が決定されると、ゴルフクラブヘッド２６とカップ１２との間の角度を固定するために、位置決めねじ５８が締め付けられる。
【００５６】
図１６を参照すると、そこには本発明の別の追加要素の側面図が示されている。本発明２００は、ゴルフクラブヘッド２６に本発明を取り付ける別の手段を提供する。追加手段は、枢動部材間の所望の角度を固定式に設定するためのスライド片５４とともにフレームヒンジ５３によって枢動可能に接続された二つの平面部材５１、５２を有する、取付フレーム５０を組み込んでいる。スライド片５４は一方のフレーム部材に５６で枢動可能に固定され、スライド片５４は、他方の取付フレーム部材にねじ固定されその中に進む位置決めねじ５８を有する縦長穴６０を備えている。使用するときは、本発明２００がゴルフクラブフェース１４に固定されると、使用者が取付フレーム位置決めねじ５８を緩め、カップ１２を所望の角度に調整し、位置決めねじ５８を締め付ける。
【００５７】
図１７を参照すると、取り付け可能なゴルフスイングトレーニング装置の正面図が示されている。その上に取り付けられるカップ１２を備えた取付フレーム５０を有する本発明２００が示されている。ゴルフクラブヘッド２６に対するカップ１２の角度調整は、スライド５４のスライド開口６０の中に進む位置決めねじ５８を緩めることによって得られる。所望の角度が決められているとき、位置決めねじ５８は締め付けられ、本発明２００は使える状態になる。本発明２００はまた、ゴルフクラブヘッド２６に固定される取付フレーム５０のその一部の上端部および下端部に配置されたひもの輪６２を組み込むことによって、本発明２００をゴルフクラブヘッド２６に固定するための追加手段を提供する。ひもの輪６２は、一方のひもの輪からクラブヘッド２６の裏面を越えて伸び他方のひもの輪６２に解放可能に固定される一定の長さのマジックテープを備えることができ、それにより取付フレーム５０から成る本発明２００を取り付ける追加手段を提供する。
【００５８】
図１８を参照すると、ゴルフクラブヘッドに取り付け可能なゴルフスイングトレーニング装置の背面図が示されている。ゴルフクラブヘッド２６のゴルフクラブフェース１４に取り付けられる取付フレーム５０の背面図が示されている。既に述べたように、ゴルフクラブヘッド２６に対するカップ１２の角度調整は、スライド５４のスライド開口６０の中に進む位置決めねじ５８を緩めることによって得られる。所望の角度が決められているとき、位置決めねじ５８は締め付けられ、本発明２００は使える状態になる。本発明２００はまた、ゴルフクラブヘッド２６に固定される取付フレーム５０のその一部の上端部および下端部に配置されたひもの輪６２を組み込むことによって、本発明２００をゴルフクラブヘッド２６に固定するための追加手段を提供する。ひもの輪６２は、一方のひもの輪からクラブヘッド２６の裏面を越えて伸び他方のひもの輪６２に解放可能に固定される一定の長さのマジックテープを備えることができ、それにより取付フレーム５０から成る本発明２００を取り付ける追加手段を提供する。さらに、本発明はフレーム取付開口６４を提供し、それにより本発明は適切な留め具を用いてゴルフクラブヘッド２６に解放可能に固定される。
【００５９】
図１９を参照すると、そこには本発明のゴルフクラブヘッドに取り付け可能なゴルフスイングトレーニング装置２００の平面図が示されている。取付フレーム５０は、枢動可能に固定された平面部材から成っている。図示するように、前部の枢動部材５２は、スライド５４の縦長穴の中に進む互いに反対側に位置する位置決めねじ５８とともにそこから垂れるカップ１２を備えている。スライド５４は後部の枢動フレーム部材５１に枢動可能に固定されている。前部および後部のフレーム部材５１、５２は、取付フレームヒンジ５３を用いて底部でヒンジ固定されるので、後部の枢動フレーム部材５１に対する前部の枢動フレーム部材５２の角度の相違には、所望の角度変位を解放可能に固定するための手段を提供するスライド片５４および位置決めねじ５８がその中に提供される。
【００６０】
図２０を参照すると、そこには本発明の別の追加要素の側面図が示されている。ゴルフスイングトレーニング装置３００が、取付フレームヒンジ５３によって一緒に枢動可能に固定されるゴルフクラブヘッド取付フレーム部材５１およびカップ取付フレーム部材５２を備えた取付フレーム５０を組み込んでおり、それによりクラブフェース１４に対するカップの角度を調整するための手段を提供する、本発明の別の追加要素が示されている。また、両面テープ４８を用いてゴルフクラブヘッド２６に本発明３００を取り付けるための一つの手段が示されている。本装置３００をクラブフェース１４に取り付けた後、カップ取付フレーム部材５２を所望の角度に枢動することによって所望の角度が設定される。一度所望な角度が決定されると、ゴルフクラブヘッド２６とカップ１２との間の角度を固定するために、位置決めねじ５８が締付けられる。
【００６１】
図２１を参照すると、そこには図２０に描かれた追加要素の側面図が示されている。本発明３００はゴルフクラブヘッド２６に本発明を取り付けるための別の手段を提供する。追加手段は、枢動部材間の所望の角度を固定式に設定するためのスライド片５４とともに取付フレームヒンジ５３によって枢動可能に接続された二つの平面部材５１、５２を有する取付フレーム５０を組み込んでいる。スライド片５４はヘッド取付フレーム部材５１の上端部に取り付けられており、スライド片５４は、カップ取付フレーム部材５２の上端部にねじ固定されスライド開口６０の中に進み一方の取付フレーム部材を他方に対して固定式に位置決めするための手段を提供する位置決めねじ５８を有する縦長穴６０を備えている。
【００６２】
図２２を参照すると、図２０に描かれた取り付け可能なゴルフスイングトレーニング装置の正面図が示されている。ゴルフクラブヘッド取付部材５１、およびその上に取り付けられるカップ１２を有するカップ取付部材５２を備えた取付フレーム５０を有する本発明３００が示されている。ゴルフクラブヘッド２６に対するカップ１２の角度調整は、スライド５４のスライド開口６０の中に進む位置決めねじ５８を緩めることによって得られる。所望の角度が決められているとき、位置決めねじ５８は締め付けられ、本発明３００は使える状態になる。
【００６３】
図２３を参照すると、図２０に示されたゴルフクラブヘッドに取り付け可能なゴルフスイングトレーニング装置の背面図が示されている。ゴルフクラブヘッド２６のゴルフクラブフェース１４に取り付けられるヘッド取付フレーム部材５１を備えた、本発明３００の背面図が示されている。既に述べたように、ゴルフクラブヘッド２６に対するカップ１２の角度調整は、スライド５４のスライド開口６０の中に進む位置決めねじ５８を緩めることによって得られる。所望の角度が決められているとき、位置決めねじ５８は締め付けられ、本発明３００は使える状態になる。本発明３００はまた、フレーム取付開口６４を提供することによって本発明３００をゴルフクラブヘッド２６に固定するための追加手段を提供し、それにより本発明は適切な留め具を用いてゴルフクラブヘッド２６に解放可能に固定される。
【００６４】
図２４を参照すると、そこには本発明のゴルフクラブヘッドに取り付け可能なゴルフスイングトレーニング装置３００の平面図が示されている。取付フレーム５０は、取付フレームヒンジ５３を用いて枢動可能に固定された部材５１、５２より成っている。図示されるように、前部の枢動部材５２は、枢動部材５２の上端部に設置されスライド片５４の縦長穴６０の中に進む位置決めねじ５８とともに、その上に取り付けられたカップ１２を備えている。スライド５４は後部の取付フレーム部材５１の上端部に固定されている。前部および後部のフレーム部材５１、５２は、取付フレームヒンジ５３を用いて底部でヒンジ固定されるので、後部の枢動フレーム部材５１に対する前部の枢動フレーム部材５２の角度の相違には、所望の角度変位を解放可能に固定するための手段を提供するスライド片５４および位置決めねじ５８をその中に提供される。
【００６５】
図２５を参照すると、そこには本発明のゴルフクラブヘッドに取り付け可能なゴルフスイングトレーニング装置３００の底面図が示されている。前述のように、取付フレーム５０は、取付フレームヒンジ５３を用いて枢動可能に固定された部材５１、５２より成っている。前部および後部のフレーム部材５１、５２は、取付フレームヒンジ５３を用いて底部でヒンジ固定されるので、後部の枢動フレーム部材５１に対する前部の枢動フレーム部材５２の角度の相違には、所望の角度変位を解放可能に固定するための手段を提供するスライド片５４および位置決めねじ５８がその中に提供される。
【００６６】
図２６を参照すると、そこには本発明の追加要素の側面図が示されている。カップ１２がクラブフェース１４に取り外し可能に固定される本発明の追加要素が示されている。カップ１２は雄ねじ部材３６備えており、クラブヘッド１４は雌ねじ穴３８を備えている。カップ１２は、ボールが簡単にカップから落ちて初心者のゴルファーを失望させるのを妨げるために、部分的に円周に配置された複数のカップ取付剛毛６６を組み込んでいる。
【００６７】
図２７を参照すると、そこには本発明の別の追加要素の側面図が示されている。ゴルフスイングトレーニング装置４００が、この場合はクラブフェース１４である取り付け面に対するカップの角度を調整するための手段を提供する枢動部材を備えた取付フレーム５０を組み込んでいる、本発明の別の追加要素４００が示されている。一度所望の角度が決定されると、複数の調節ひも開口７２を備えた調節ひも７０は、所望の角度変位を維持する適切な開口７２において調節ひも支柱７４に嵌まっている。
【００６８】
図２８を参照すると、そこには図２７で示された追加要素の側面図が示されている。本発明４００はゴルフクラブヘッド２６に本発明を取り付けるための別の手段を提供する。追加手段は、枢動部材５１、５２間の所望の角度を固定式に設定するための手段を提供する調節ひも７０とともに取付フレームヒンジ５３によって接続された、ヘッド取付フレーム部材５１およびカップ取付フレーム部材５２を有する取付フレーム５０を組み込んでいる。調節ひも７０は、フレーム部材５２の上端部から伸びる調節ひも支柱とともに、フレーム部材５１の上端部に固定されている。調節ひも７０は複数の離間した開口７２を備えている。使用するときは、本発明４００がゴルフクラブヘッド２６のゴルフクラブフェース１４に固定されると、使用者がカップ取付フレーム部材５２をヘッド取付フレーム部材５１に対して所望の角度に配置する。所望の角度が決定されているとき、調節ひも７０の選択された調節ひも開口７２は、選択が変わるまで所望の角度を固定する調節ひも支柱７４に押し付けられる。
【００６９】
図２９を参照すると、図２７に描かれた取り付け可能なゴルフスイングトレーニング装置の正面図が示されている。その上に取り付けられたカップ１２を備えた取付フレーム５０を有する本発明４００が示されている。ゴルフクラブヘッド２６に対するカップ１２の角度調整は、調節ひも開口７２を選択してその開口７２を調節ひも支柱７４に押し付けることによって得られる。本発明４００はまた、安全ひも(図示されず)、およびヘッド取付フレーム部材５１の互いに反対側に位置する安全ひもアンカー６８を組み込むことによって、ゴルフクラブヘッド２６に本発明４００を固定するための追加手段を提供する。安全ひもは、一方の安全ひもアンカー６８に取り付けられ、ゴルフクラブヘッド２６の背後に沿って伸び、反対側の安全ひもアンカー６８に取り付けられている、それによりゴルフクラブヘッド２６に本発明４００を取り付ける追加手段を提供する。
【００７０】
図３０を参照すると、図２７で説明されるゴルフクラブヘッドに取り付け可能なゴルフスイングトレーニング装置の背面図が示されている。ゴルフクラブヘッド２６のゴルフクラブフェース１４に取り付けられるヘッド取付フレーム部材５１を備えた本発明４００の背面図が示されている。本追加要素について先に述べたとおり、ゴルフクラブヘッド２６に対するカップ１２の角度調整は、所望の角度変位を決定し、適切な調節ひも開口に気付き、調節ひも支柱７４に前記開口を押し付けることによって達成される。本発明４００はまた、ヘッド取付フレーム部材５１の互いに反対側に配置され安全ひも(図示されず)を取り付けるための手段を提供する安全ひもアンカー６８を組み込むことによって、ゴルフクラブヘッド２６に本発明４００を固定するための追加手段を提供する。さらに、本発明はフレーム取付開口６４を提供し、それにより本発明は適切な留め具を用いてゴルフクラブヘッド２６に取り付けられる。
【００７１】
図３１を参照すると、そこには本発明のゴルフクラブヘッドに取り付け可能なゴルフスイングトレーニング装置４００の平面図が示されている。取付フレーム５０は枢動可能に固定されたフレーム部材５１、５２より成っている。図示のとおり、前部の枢動部材５２は、フレーム部材５２から伸びる調節ひも支柱７４とともにそこから垂れるカップ１２を備えている。複数の離間した開口を備えた調節ひも７０は後部の枢動フレーム部材５１に固定されている。前部および後部のフレーム部材５１、５２は、取付フレームヒンジ５３を用いて底部でヒンジ固定されるので、後部の枢動フレーム部材５１に対する前部の枢動フレーム部材５２の角度の相違には、所望の角度変位を解放可能に固定するための手段を提供する調節ひも７０および調節ひも支柱７４がその中に提供される。
【００７２】
図３２を参照すると、そこには本発明のゴルフクラブヘッドに取り付け可能なゴルフスイングトレーニング装置４００の底面図が示されている。前述のように、取付フレーム５０は取付フレームヒンジ５３を用いて枢動可能に固定された部材５１、５２より成っている。前部および後部のフレーム部材５１、５２は、取付フレームヒンジ５３を用いて底部でヒンジ固定されるので、後部の枢動フレーム部材５１に対する前部の枢動フレーム部材５２の角度の相違には、所望の角度変位を解放可能に固定するための手段を提供する調節ひも７０および調節ひも支柱７４がその中に提供される。また本発明は、ヘッド取付フレーム部材５１の互いに反対側に配置され安全ひも(図示されず)を取り付けるための手段を提供する安全ひもアンカー６８を組み込むことによって、ゴルフクラブヘッド２６に本発明４００を固定するための追加手段を提供する。
【図面の簡単な説明】
【００７３】
【図１】使用中である本発明の説明図である。
【図２】本発明の側面図である。
【図３】本発明の正面図である。
【図４】本発明の詳細な斜視図である。
【図５】本発明の正面図である。
【図６】本発明の斜視図である。
【図７】本発明の説明図である。
【図８】本発明の説明図である。
【図９】本発明の説明図である。
【図１０】本発明の説明図である。
【図１１】本発明の追加要素の側面図である。
【図１２】本発明のシャフト取り付け型の側面図である。
【図１３】本発明のシャフト取り付け型の背面図である。
【図１４】本発明のシャフト取り付け型の正面図である。
【図１５】本発明のゴルフクラブフェース取り付け型の側面図である。
【図１６】本発明のゴルフクラブフェース取り付け型の側面図である。
【図１７】本発明のゴルフクラブフェース取り付け型の正面図である。
【図１８】本発明のゴルフクラブフェース取り付け型の背面図である。
【図１９】本発明のゴルフクラブフェース取り付け型の平面図である。
【図２０】本発明の別のゴルフクラブフェース取り付け型の側面図である。
【図２１】本発明の別のゴルフクラブフェース取り付け型の側面図である。
【図２２】本発明の別のゴルフクラブフェース取り付け型の正面図である。
【図２３】本発明の別のゴルフクラブフェース取り付け型の背面図である。
【図２４】本発明の別のゴルフクラブフェース取り付け型の平面図である。
【図２５】本発明の別のゴルフクラブフェース取り付け型の底面図である。
【図２６】カップのへりに取り付けられた剛毛を有する別タイプの抑えである。
【図２７】本発明の代りのゴルフクラブフェース取り付け型の側面図である。
【図２８】本発明の代りのゴルフクラブフェース取り付け型の側面図である。
【図２９】本発明の代りのゴルフクラブフェース取り付け型の正面図である。
【図３０】本発明の代りのゴルフクラブフェース取り付け型の背面図である。
【図３１】本発明の代りのゴルフクラブフェース取り付け型の平面図である。
【図３２】本発明の代りのゴルフクラブフェース取り付け型の底面図である。
【符号の説明】
【００７４】
１０  本発明
１２  カップ
１４  フェース
１６  矢印
１８  目標線
２０  ゴルフクラブ
２２  グリップ
２４  シャフト
２６  クラブヘッド
２８  ボール
３０  長いリボン
３２  短いリボン
３４  ゴルファー
３６  雄ねじ
３８  雌ねじ
４０  突起部
４１  標的
４２  クランプ
４４  クランプ留め具
４６  クランプアーム
４８  両面テープ
５０  取付フレーム
５１  クラブヘッド取付フレーム部材
５２  カップ取付フレーム部材
５３  取付フレームヒンジ
５４  スライド片
５６  スライド軸
５８  スライド位置決めねじ
６０  スライド開口
６２  ひもの輪
６４  フレーム取付開口
６６  カップ取付剛毛
６８  安全ひもアンカー
７０  調節ひも
７２  調節ひも開口
７４  調節ひも支柱
１００  シャフト取り付け用ゴルフスイングトレーニング装置
２００  ゴルフクラブヘッド取り付け用ゴルフスイングトレーニング装置
３００  ゴルフクラブヘッド取り付け用ゴルフスイングトレーニング装置
４００  ゴルフクラブヘッド取り付け用ゴルフスイングトレーニング装置
【図１】
2008521580.tif 000003
【図２】
2008521580.tif 000004
【図３】
2008521580.tif 000005
【図４】
2008521580.tif 000006
【図５】
2008521580.tif 000007
【図６】
2008521580.tif 000008
【図７】
2008521580.tif 000009
【図８】
2008521580.tif 000010
【図９】
2008521580.tif 000011
【図１０】
2008521580.tif 000012
【図１１】
2008521580.tif 000013
【図１２】
2008521580.tif 000014
【図１３】
2008521580.tif 000015
【図１４】
2008521580.tif 000016
【図１５】
2008521580.tif 000017
【図１６】
2008521580.tif 000018
【図１７】
2008521580.tif 000019
【図１８】
2008521580.tif 000020
【図１９】
2008521580.tif 000021
【図２０】
2008521580.tif 000022
【図２１】
2008521580.tif 000023
【図２２】
2008521580.tif 000024
【図２３】
2008521580.tif 000025
【図２４】
2008521580.tif 000026
【図２５】
2008521580.tif 000027
【図２６】
2008521580.tif 000028
【図２７】
2008521580.tif 000029
【図２８】
2008521580.tif 000030
【図２９】
2008521580.tif 000031
【図３０】
2008521580.tif 000032
【図３１】
2008521580.tif 000033
【図３２】
2008521580.tif 000034
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
シャフト、グリップ、クラブヘッド、およびクラブフェースを備えるゴルフクラブと、
前記ゴルフクラブの前記フェースに配置される容器であって、前記容器は前端部および後端部を備え、使用者に対しゴルフクラブを正確にスイングする方法を訓練するためにゴルフボールが容器の中に納められるように前記前端部が開いている容器と、
前記容器の中にゴルフボールを保持するために前記容器の中に組み込まれた保持具とを有することを特徴とするゴルフスイングトレーニング装置用の機器。
【請求項２】
前記ゴルフクラブの前記フェースに配置されるウェッジをさらに有することを特徴とする、請求項１に記載の機器。
【請求項３】
前記ウェッジは正面および裏面を備え、ウェッジ正面が正確な垂直面を有するように前記裏面は補完的なクラブフェース角度を備えていることを特徴とする、請求項２に記載の機器。
【請求項４】
前記ウェッジ正面はそれに取り付けられる前記容器の後端部を備えていることを特徴とする、請求項３に記載の機器。
【請求項５】
前記容器は取り外しできるように前記容器は留め具で前記ウェッジに取り付けられていることを特徴とする、請求項４に記載の機器。
【請求項６】
前記容器は取り外しできないように前記容器は前記ウェッジに取り付けられていることを特徴とする、請求項４に記載の機器。
【請求項７】
前記ウェッジは正面と裏面との間の固定変位を備えた支持体であることを特徴とする、請求項３に記載の機器。
【請求項８】
前記ウェッジは枢動接続部を備え、それによりウェッジ正面とウェッジ裏面との間の角度変位が選択的に変更されることを特徴とする、請求項３に記載の機器
【請求項９】
前記容器の前端部および後端部はそれらの間に垂れる壁を備え、前記容器の形状は円筒型、正方形、円形、細長い、または三角形であることを特徴とする、請求項１に記載の機器。
【請求項１０】
前記保持具は、使用中にボールが前記容器から偶然に落ちるのを抑えるのに役立つ少なくとも一つの前端部で内側に垂れるフランジであることを特徴とする、請求項１に記載の機器。
【請求項１１】
前記保持具は前記容器の一体部分として製造されることを特徴とする、請求項１０に記載の機器。
【請求項１２】
前記容器の抑制物は前記容器から取り外し可能であり、それゆえ使用者が選択的に調節できることを特徴とする、請求項１０に記載の機器。
【請求項１３】
前記保持具は内側に垂れるフランジを備えた容器の挿入物であり、それにより前記挿入物は前記容器の中に選択的に配置されることを特徴とする、請求項１２に記載の機器。
【請求項１４】
前記保持具は選択的な解除機構を含むことを特徴とする、請求項１に記載の機器。
【請求項１５】
容器と固定手段との間に配置される支持部材と、
前端部および後端部を備え、前記後端部は前記支持部材に取り付けられ、使用者に対しゴルフクラブを正確にスイングする方法を訓練するためにゴルフボールが容器の中に置かれるのを可能にするために前記前端部が開いている、前記支持部材の表面に配置される前記容器と、
前記支持部材の一端に配置され、それにより前記機器はゴルフクラブに解除可能に取り付けられる固定手段とを有することを特徴とするゴルフクラブ用の機器。
【請求項１６】
前記固定手段はゴルフクラブのシャフトを摩擦ではめ込むための一対のはめ合い部材から成り、前記はめ合い部材の一方はそこから垂れる支持部材を備えていることを特徴とする、請求項１５に記載の機器。
【請求項１７】
前記はめ合い部材は、はめ込まれるときにそれを通る貫通孔を備え、それにより前記機器の容器はゴルフクラブヘッドの位置に対して実質的に垂直な位置に枢動可能に移動されることを特徴とする、請求項１６に記載の機器。
【請求項１８】
前記はめ合い部材は固定手段を組み込んでおり、それにより前記固定手段はゴルフクラブシャフトにはめ合い部材を取り付けおよび取り外しするために用いられることを特徴とする、請求項１６に記載の機器。
【請求項１９】
前記固定手段はその中にねじ部品を備えた少なくとも一つのねじ穴から成ることを特徴とする、請求項１７に記載の機器。
【請求項２０】
前記支持部材はヒンジを備えそこを越えて伸びる取付フレームを形成することを特徴とする、請求項１５に記載の機器。
【請求項２１】
前記取付フレームは、ゴルフクラブフェースをはめ込むための一方のヒンジ式取付平面部材と、前記容器のための取付手段を形成する他方のヒンジ式取付平面部材とから成ることを特徴とする、請求項２０に記載の機器。
【請求項２２】
前記取付フレームは固定手段を組み込んでおり、それにより前記取付フレームはゴルフクラブフェースに解除可能に取り付けられることを特徴とする、請求項２１に記載の機器。
【請求項２３】
前記固定手段は両反対側に接着剤を備えたテープの層であることを特徴とする、請求項２２に記載の機器。
【請求項２４】
前記固定手段は、ゴルフクラブヘッドの背後を越えて伸び取付フレームの上端部および下端部から伸びる取付フレーム留め具に固定されるひもから成ることを特徴とする、請求項２２に記載の機器。
【請求項２５】
前記固定手段は、ゴルフクラブヘッドの背後を越えて伸び取付フレームの両側部から伸びる留め具に固定されるひもから成ることを特徴とする、請求項２２に記載の機器。
【請求項２６】
前記固定手段は取付フレーム部材から成り、それを通して複数の開口が設けられ、その内部に留め具を配置していることを特徴とする、請求項２２に記載の機器。
【請求項２７】
前記取付フレームは位置決め手段を組み込んでおり、それにより取付フレーム部材間の選択的な角度変位が希望どおりに調整されることを特徴とする、請求項２２に記載の機器。
【請求項２８】
前記位置決め手段は一方の取付フレーム部材の両反対端部に固定されるトルク部材から成り、他方はそこに沿って進む前記トルク部材をその中に備えた縦長穴を有するそこから伸びるスライド留め具を備えていることを特徴とする、請求項２７に記載の機器。
【請求項２９】
前記位置決め手段は一方の取付フレーム部材の上端部から延びる支柱から成り、他方はそこに沿って縦に伸びる複数の離間した開口を有するひもを備えており、それにより前記部材の選択的な角度変位が、所望の選択的な角度変位と一致するひも開口に前記支柱を摩擦ではめ込むことによって得られることを特徴とする、請求項２７に記載の機器。
【請求項３０】
ゴルフボールを前記容器の内部に保持するために前記容器のへりに配置される複数の内側に突出する剛毛をさらに有することを特徴とする、請求項１５に記載の機器。
【請求項３１】
ゴルフスイングトレーニング装置の容器の中にゴルフボールを挿入する工程と、
前記トレーニング装置をスイングする工程とを有し、
前記トレーニング装置が
シャフト、グリップ、クラブヘッド、およびクラブフェースを備えるゴルフクラブと、
前記ゴルフクラブの前記フェースに配置される容器であって、前記容器は前端部および後端部を備え、使用者に対しゴルフクラブを正確にスイングする方法を訓練するためにゴルフボールが容器の中に納められるように前記前端部が開いている容器とを有することを特徴とする方法。
【国際調査報告】
2008521580.tif 000035